【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
レセプタクルトレイからの一つ以上のレセプタクルの除去を管理するための方法であって、
除去表示器によって、前記一つ以上のレセプタクルのどれを除去するかを表示する工程、および
複数の前記レセプタクルから構成された一つ以上の列であって、前記レセプタクルトレイから除去すべき一つ以上の表示された前記レセプタクルを含む一つ以上の列を同時に解錠することによって、表示された一つ以上のレセプタクルを前記レセプタクルトレイから手動で除去する解錠工程を含む方法。
【請求項２】
レセプタクルトレイからの一つ以上のレセプタクルの除去を管理するための方法であって、
除去表示器によって、前記一つ以上のレセプタクルのどれを除去するかを表示する工程、
表示された一つ以上のレセプタクルを前記レセプタクルトレイから手動で除去する工程、および
適切な前記レセプタクルが除去されたかどうかを決定する工程を含む方法。
【請求項３】
請求項１又は請求項２に記載の方法に於いて、前記除去表示器が前記表示された一つ以上のレセプタクルにある照明器である方法。
【請求項４】
請求項１又は請求項２に記載の方法の方法であって、更に、前記表示すべき一つ以上のレセプタクルを決めるために、ユーザが、ユーザインタフェースを介して、前記一つ以上のレセプタクルの既知の位置を要求する工程を含む方法。
【請求項５】
請求項１又は請求項２に記載の方法であって、更に、前記表示すべき一つ以上のレセプタクルを決めるために、ユーザが、ユーザインタフェースを介して、前記一つ以上のレセプタクルの中の一つ以上の品物を要求する工程を含む方法。
【請求項６】
請求項１又は請求項２に記載の方法であって、更に、
前記一つ以上のレセプタクルを除去するときを検出する工程、
前記除去表示器を非活動状態にする工程、および
プロセッサに前記一つ以上の表示されたレセプタクルを除去したというメッセージを伝える工程を含む方法。
【請求項７】
請求項１に記載の方法であって、更に、
前記一つ以上の表示されたレセプタクル以外の一つ以上のレセプタクルを除去したときを検出する工程、および
プロセッサに前記一つ以上の表示されたレセプタクル以外の前記一つ以上のレセプタクルを除去したというメッセージを伝える工程を含む方法。
【請求項８】
請求項２に記載の方法であって、適切な前記レセプタクルが除去されたかどうかを決定する前記工程が、
前記一つ以上の表示されたレセプタクル以外の一つ以上のレセプタクルを除去したことを検出する工程、および
プロセッサに前記一つ以上の表示されたレセプタクル以外の前記一つ以上のレセプタクルを除去したというメッセージを伝える工程を含む方法。
【請求項９】
請求項１に記載の方法に於いて、前記同時に解錠する解錠工程が、
複数の前記一つ以上のレセプタクルを解錠するためにラッチ要素を解錠方向に駆動するためのモータを付勢する工程、
前記表示された一つ以上のレセプタクルの一つ以上が除去を求めるままであるかどうかを決める工程、および
もし、前記表示された一つ以上のレセプタクルのどれも除去を求めるままでなければ、前記ラッチ要素を鎖錠方向に駆動するために前記モータを付勢する工程を含む方法。
【請求項１０】
レセプタクルトレイからのレセプタクルの除去を管理するための装置であって、
一つ以上のレセプタクル、
前記一つ以上のレセプタクルのどれを前記レセプタクルトレイから手動で除去するかを表示する、少なくとも一つの除去表示器、および
前記レセプタクルトレイから除去すべき一つ以上の表示された前記レセプタクルのうちの一つ以上を含む一つ以上のレセプタクルから構成されるレセプタクルの列を同時に解錠するようになっている解錠装置を含む装置。
【請求項１１】
レセプタクルトレイからのレセプタクルの除去を管理するための装置であって、
一つ以上のレセプタクル、
前記一つ以上のレセプタクルのどれを前記レセプタクルトレイから手動で除去するかを表示する、少なくとも一つの除去表示器、および
適切な前記レセプタクルが除去されたかどうかを決定する手段を含む装置。
【請求項１２】
請求項１１に記載の装置であって、
複数の嵌め合いユニットを有するレセプタクルトレイ、並びに
少なくとも一つのレセプタクルにして、
前記レセプタクルのコネクタインタフェースに最も近い前面から突出し、上記レセプタクルトレイのそれぞれの嵌め合いユニットと係合するように構成した二つ以上の突起物；および
前記二つ以上の突起物に関して前記レセプタクルの後方に向き、前記レセプタクルトレイのそれぞれの嵌め合いユニットと係合する一つ以上の突起を含むレセプタクルを含む装置。
【請求項１３】
請求項１１又は請求項１２に記載の装置であって、適切な前記レセプタクルが除去されたかどうかを決定する前記手段が、
前記一つ以上の表示されたレセプタクル以外の一つ以上のレセプタクルを除去したときを検出する検出ユニット、および
前記検出ユニットに接続され且つ上記一つ以上の表示されたレセプタクル以外の前記一つ以上のレセプタクルを除去したというメッセージを伝えるように構成した送信器を含む装置。
【請求項１４】
請求項１０乃至請求項１３のいずれか一項に記載の装置に於いて、前記表示器が前記表示された一つ以上のレセプタクルの各々にある照明器である装置。
【請求項１５】
請求項１０乃至請求項１３のいずれか一項に記載の装置に於いて、前記表示器が前記表示された一つ以上のレセプタクルの各々に取付けてある装置。
【請求項１６】
請求項１０乃至請求項１３のいずれか一項に記載の装置であって、更に、ユーザが、前記表示すべき一つ以上のレセプタクルを決めるために、前記一つ以上のレセプタクルの既知の位置を要求するユーザインタフェースを含む装置。
【請求項１７】
請求項１０乃至請求項１３のいずれか一項に記載の装置であって、更に、ユーザが、前記表示すべき一つ以上のレセプタクルを決めるために、前記一つ以上のレセプタクルの中の一つ以上の品物を要求するユーザインタフェースを含む装置。
【請求項１８】
請求項１０乃至請求項１３のいずれか一項の装置であって、更に、
前記レセプタクルトレイから上記一つ以上のレセプタクルを除去するときを検出し且つ前記除去表示器を非活動状態にする検出ユニット、および
前記検出ユニットに接続され且つ前記一つ以上の表示されたレセプタクルを除去したというメッセージを伝えるように構成した送信器を含む装置。
【請求項１９】
請求項１０に記載の装置であって、更に、
前記一つ以上の表示されたレセプタクル以外の一つ以上のレセプタクルを除去したときを検出する検出ユニット、および
前記検出ユニットに接続され且つ上記一つ以上の表示されたレセプタクル以外の前記一つ以上のレセプタクルを除去したというメッセージを伝えるように構成した送信器を含む装置。
【請求項２０】
請求項１０に記載の装置に於いて、前記解錠装置が、
複数の前記一つ以上のレセプタクルを同時に解錠するためにラッチ要素を解錠方向に駆動するモータ、および
前記表示された一つ以上のレセプタクルの一つ以上が除去を求めるままであるかどうかを決め、もし、前記表示された一つ以上のレセプタクルのどれも除去を求めるままでなければ、前記ラッチ要素を鎖錠方向に駆動するために前記モータを付勢するプロセッサを含む装置。
【請求項２１】
請求項１２に記載の装置に於いて、前記レセプタクルトレイが前記一つ以上のレセプタクルを固定するための前記レセプタクルトレイの中の場所を表示する表示器を含み、前記表示器が不適切に除去したレセプタクルを戻す場所を表示するようになっている装置。
【請求項２２】
一つ以上のレセプタクルを固定するための装置であって、
複数の嵌め合いユニットを有するレセプタクルトレイ、並びに
少なくとも一つのレセプタクルにして、
前記レセプタクルのコネクタインタフェースに最も近い前面から突出し、上記レセプタクルトレイのそれぞれの嵌め合いユニットと係合するように構成した二つ以上の突起物；および
前記二つ以上の突起物に相対的に前記レセプタクルの後方に向き、前記レセプタクルトレイのそれぞれの嵌め合いユニットと係合する一つ以上の突起を含むレセプタクルを含み；
前記一つ以上の突起が、前記レセプタクルを前方に押出し、かつ、前記二つ以上の突起物を前記それぞれの嵌め合いユニットに押込む案内面を有するようになっている装置。
【請求項２３】
請求項２２に記載の装置に於いて、前記レセプタクルトレイが前記一つ以上のレセプタクルを固定するための前記レセプタクルトレイの中の場所を表示する表示器を含む装置。
【請求項２４】
請求項２３に記載の装置に於いて、前記表示器が不適切に除去したレセプタクルを戻す場所を表示する装置。
【請求項２５】
請求項２２に記載の装置に於いて、前記二つ以上の突起物の二つが前記レセプタクルトレイのそれぞれの係合面と係合するために縦の大きさになっている装置。
【請求項２６】
請求項２２に記載の装置に於いて、前記二つ以上の突起物の一つが前記レセプタクルトレイのそれぞれの嵌め合いユニットの幅に対応する所定の幅を有する装置。
【請求項２７】
請求項２２に記載の装置に於いて、前記一つ以上の突起の少なくとも一つが前記レセプタクルトレイのそれぞれの嵌め合いユニットの深さおよび幅に対応する所定の深さおよび幅を有する装置。
【請求項２８】
請求項２２に記載の装置に於いて、前記一つ以上の突起が前記レセプタクルトレイの保持機構と係合するフックを有する装置。
【請求項２９】
請求項２８に記載の装置に於いて、前記保持機構が複数のレセプタクルのフックと同時に係合するように構成されている装置。
【請求項３０】
請求項２９に記載の装置に於いて、前記保持機構が、
ラッチ要素を解錠方向に駆動するモータ、
レセプタクルを置く場所を表示する表示器、および
一つ以上のレセプタクルが前記レセプタクルトレイに置くべきままであるかどうかを決め、もし、どのレセプタクルも前記レセプタクルトレイに置くべきままでないならば、前記ラッチ要素を鎖錠方向に駆動するために前記モータを付勢するプロセッサを含む装置。